(57)【要約】【課題】発泡スチロール等の緩衝機能のある素材を使用しなくても確実にワークを固定出来るようにし、この際、ワークに損傷等が生じないようにする。【解決手段】スキッド２上に固定される下段受け枠３に第１、第２固定ステー１５、１６からなる複数のワーク固定部１７を設け、このワーク固定部１７に長尺状部材Ｗを位置決め固定するとともに、長尺状部材Ｗの上部に飛び跳ね防止用バー５を設け、飛び跳ね防止用バー５と下段受け枠３の間に固定用ブラケット１０を嵌め込んで両者を連結固定する。また、その上に上段受け材６ａ、６ｂを設けて上段受け材６ａ、６ｂの複数のワーク固定部１７に長尺状部材Ｗを位置決めし、その上部に設けた飛び跳ね防止用バー７と上段受け材６ａ、６ｂの間に固定用ブラケット１１を嵌め込んで両者を連結固定する。【選択図】　　　図７
2004131121.tif 000002
【特許請求の範囲】
【請求項１】
車両用の長尺状部材を梱包する梱包体であって、スキッド上に位置決めされる下段受け枠と、この下段受け枠に設けられる複数のワーク固定部と、前記下段受け枠の四隅コーナ部に立設される支柱と、前記ワーク固定部に位置決め載置される複数の長尺状部材の上部に配設される飛び跳ね防止用バーと、前記支柱の上端部に取り付けられるビーム部材を備え、前記下段受け枠のワーク固定部は、長尺状部材の一端側が嵌め込まれる第１固定ステーと、ワークの他端側が嵌め込まれる第２固定ステーを備えるとともに、前記飛び跳ね防止用バーと下段受け枠との間には、嵌め込み式で両者を連結固定する固定用ブラケットが設けられることを特徴とする長尺状部材の梱包体。
【請求項２】
前記飛び跳ね防止用バーとビーム部材との中間部には、左右一対の上段受け材が前記支柱に対して連結可能となり、この上段受け材には、前記下段受け枠と同様なワーク固定部が設けられるとともに、このワーク固定部に位置決め載置される上段の長尺状部材の上部には上段の飛び跳ね防止用バーが配設され、この飛び跳ね防止用バーと前記上段受け材との間には、嵌め込み式で両者を連結固定する固定用ブラケットが設けられることを特徴とする請求項１に記載の長尺状部材の梱包体。
【発明の詳細な説明】
【０００１】
【発明の属する技術分野】
本発明は、例えば自動車のインパネパイプまたはステアリングハンガビーム等の長尺状部材を梱包する梱包体に関する。
【０００２】
【従来の技術】
従来、例えば自動車のインパネパイプやステアリングハンガビーム等の長尺状部材を梱包して輸送等を行う場合、発泡スチロール等の緩衝機能のある素材を使用してワークを固定し、輸送等を行うようにしている。
【０００３】
【発明が解決しようとする課題】
ところが、発泡スチロール等は輸送目的を果たした後に破棄されることが多いが、処分等の際に嵩張って輸送コストが嵩み、また埋め立てにも適しておらず、燃やせば高温となって有毒ガスを発生させる等の問題があった。
また、発泡スチロール等は有限の天然資源である石油を原料としているため、梱包資材としては出来るだけ避けることが好ましかった。
【０００４】
そこで本発明は、発泡スチロール等の緩衝機能のある素材を使用しなくても確実にワークを固定出来るようにし、この際、ワークに損傷等が生じないようにすることを目的とする。
【０００５】
【課題を解決するための手段】
上記目的を達成するため本発明は、車両用の長尺状部材を梱包する梱包体において、スキッド上に位置決めされる下段受け枠と、この下段受け枠に設けられる複数のワーク固定部と、前記下段受け枠の四隅コーナ部に立設される支柱と、前記ワーク固定部に位置決め載置される複数の長尺状部材の上部に配設される飛び跳ね防止用バーと、前記支柱の上端部に取り付けられるビーム部材を設け、前記下段受け枠のワーク固定部として、長尺状部材の一端側が嵌め込まれる第１固定ステーと、ワークの他端側が嵌め込まれる第２固定ステーを設けるとともに、前記飛び跳ね防止用バーと下段受け枠との間には、嵌め込み式で両者を連結固定する固定用ブラケットを設けるようにした。
【０００６】
そして、例えば下段受け枠のワーク固定部として、長尺状部材の種類等に応じてその形状に合致した嵌合凹部等を有する第１固定ステーと第２固定ステーを設け、この第１固定ステーと第２固定ステーに長尺状部材の所定部を嵌め込んで位置決めし、上部に配設した飛び跳ね防止バーで長尺状部材を押え付けるように固定すれば、長尺状部材がしっかりと定位置に固定され、動き回るような不具合を防止出来る。
そして、例えばこのような下段受け枠をワークの種類や形状等に合わせて複数種類準備しておき、一定規格のスキッド上に位置決め載置すれば、全体の梱包サイズの規格が統一されて輸送等を効率的に行えるようになる。
また、固定用ブラケットにより、飛び跳ね防止用バーと下段受け枠を嵌め込み式に連結すれば、固定操作が簡単になる。
【０００７】
また本発明では、前記飛び跳ね防止用バーとビーム部材との中間部には、支柱に対して連結可能な左右一対の上段受け材を設け、この上段受け材には、前記下段受け枠と同様なワーク固定部を設けるとともに、このワーク固定部に位置決め載置される上段の長尺状部材の上部には上段の飛び跳ね防止用バーを配設し、この飛び跳ね防止用バーと前記上段受け材との間に、嵌め込み式で両者を連結固定する固定用ブラケットを設けるようにした。
【０００８】
このように下段受け枠の上部に上段受け材を設けて、下段のみならず上段にも長尺状部材を位置決め固定することで、同時に多数の長尺状部材を梱包できるようになり、梱包効率を高めることが出来る。
【０００９】
【発明の実施の形態】
本発明の実施の形態について添付した図面に基づき説明する。
ここで図１は本発明に係る梱包体の分解斜視図、図２は下段受け枠をスキッドに固定した状態の説明図、図３は下段受け枠のワーク固定部に長尺状部材を搭載した状態の説明図、図４は第２固定ステーに長尺状部材の一端側を嵌め込んだ状態の拡大図、図５は飛び跳ね防止用部材と固定用ブラケットにより長尺状部材の上部を規制した状態図、図６は固定用ブラケットの説明図、図７は上段受け材を取り付けて上段の長尺状部材を固定した状態の説明図、図８は最終的な荷姿の説明図である。
【００１０】
本発明に係る長尺状部材の梱包体は、自動車のインパネパイプやステアリングビーム等の長尺状部材を梱包するにあたり、発泡スチロール等の緩衝機能を有する素材を使用しなくても確実に、また損傷させることなくワークを固定出来るようにされている。
【００１１】
すなわち、本発明に係る梱包体１は、図１に示すように、平面視で矩形状のスキッド２と、このスキッド２上に位置決め載置される下段受け枠３と、この下段受け枠３の四隅コーナ部に立設される支柱４と、下段受け枠３上に位置決め載置される長尺状部材Ｗの上部に配設される飛び跳ね防止用バー５と、上段搭載用の左右の上段受け材６ａ、６ｂと、上段に搭載される長尺状部材Ｗの上部に配設される上段用の飛び跳ね防止用バー７と、支柱４の上端部に取り付けられるビーム部材８を備えており、下段の下段受け枠３と飛び跳ね防止用バー５の間には、嵌め込み式で両者を連結する固定用ブラケット１０が設けられるとともに、上段の上段受け材６と飛び跳ね防止用バー７の間にも、嵌め込み式で両者を連結する固定用ブラケット１１が設けられている。
【００１２】
前記下段受け枠３は、スキッド２上の所定位置に載置してスキッド２に固定できるようにされ、前後一対の断面Ｌ字型の支持バー１２に取り付けられる合計４個の角パイプ状の支柱受け１３と、この支柱受け１３の上端側面に固着される左右一対の受け材１４ａ、１４ｂを備えている。そして、一方側の受け材１４ａの上部には、長尺状部材Ｗの一端側を嵌合せしめることの出来るコの字型の第１固定ステー１５が所定間隔置きに複数取り付けられ、他方側の受け材１４ｂの上部には、長尺状部材Ｗの他端側を嵌合せしめることのできる第２固定ステー１６が所定間隔置きに複数取り付けられ、対向する位置の第１固定ステー１５と第２固定ステー１６により、ワーク固定部１７が形成されている。
【００１３】
ここで、本実施例では、長尺状部材Ｗの一端側が単なるパイプ状で、他端側が、側方にフランジが張出す形態であるため、第１固定ステー１５はパイプ部を嵌合せしめることの出来るような単純なコの字型にされ、第２固定ステー１６は、図４（ａ）にも示すように、フランジの張出し端部に係合して回り止めの作用を果たす折り返し係止部１６ｋを、立壁部１６ｔに対向して設けて幅広の略ワの字の嵌合部としている。
【００１４】
前記支柱４は、断面Ｌ字型のフレームであり、この支柱４の下端部は、下段受け枠３の支柱受け１３に挿し込むことが出来るようにされるとともに、ボルトにより支柱受け１３に固定出来るようにされている。
また、この支柱４の中間部には、飛び跳ね防止用バー５、７や、上段受け材６ａ、６ｂや、ビーム部材８を固定するための複数のボルト挿通孔が設けられ、この挿通孔の裏側部分にナットが溶着されている。
【００１５】
前記飛び跳ね防止用バー５は、角型パイプ状であり、両端部にＬ字型の取付け用フランジが溶着され、この取付け用フランジと前記支柱４がボルトで固定出来るようにされている。
因みに、上段の飛び跳ね防止用バー７も同様な構成にされている。
【００１６】
前記上段受け材６ａ、６ｂは、下段受け枠３の受け材１４ａ、１４ｂとほぼ同様な構成であり、両端部に角型パイプが固着されてこの角型パイプを介して支柱４に連結可能にされるとともに、一方側の上段受け材６ａには、複数の第１固定ステー１５が所定間隔置きに取り付けられ、他方側の上段受け材６ｂには、複数の第２固定ステー１６が所定間隔置きに取り付けられている。
そして、下段受け枠３の場合と同様に、第１固定ステー１５と第２固定ステー１６により、ワーク固定部１７が形成されている。
【００１７】
前記下段の固定用ブラケット１０は、図６に示すように、両端部が略直角に折り曲げられた後、先端部分が更に内側に向けて部分的に突出する形態で折り返されており、両端部の折曲げ間隔が、下段受け枠３の受け材１４ａ、１４ｂと飛び跳ね防止用バー５の間隔に概略一致するとともに、下段受け枠３の受け材１４ａ、１４ｂと飛び跳ね防止用バー５に対して開口部側を向けて押し込むことにより弾性的に嵌め込まれて、両者を連結固定するようにされている。
尚、上段の固定用ブラケット１１も同様な構成であり、両端部の折曲げ間隔が、上段受け材６ａ、６ｂと飛び跳ね防止用バー７の間隔に概略一致し、上段受け材６ａ、６ｂと飛び跳ね防止用バー７に対して開口部側を向けて押し込むことにより、弾性的に嵌め込まれるようにしている。
【００１８】
以上のような梱包体１において、まず、図２に示すように、スキッド２上に下段受け枠３を載置して位置決め固定した後、図３に示すように、第１固定ステー１５と第２固定ステー１６上に長尺状部材Ｗを嵌め込んで位置決めし、支柱受け１３に四本の支柱４を立設し、ボルトで固定する。
この際、長尺状部材Ｗの両端部は第１、第２固定ステー１５、１６に嵌め込まれて位置決めされ、また、第２固定ステー１６側は、図４（ｂ）に示すように、折り返し係止部１６ｋによってフランジの一部が係止されるため、長尺状部材Ｗが軸廻りに回転するような不具合はない。
【００１９】
次に、図５に示すように、左右の飛び跳ね防止用バー５が長尺状部材Ｗの部品等の隙間を通して本体上部にセットされ、両端部が支柱４にボルトで固定される。
その後、左右各二個の固定用ブラケット１０が下段受け枠３の受け材１４ａ、１４ｂと飛び跳ね防止用バー５との間に嵌め込まれて両者を連結し、長尺状部材Ｗが上方に飛び跳ねようとする場合でも、それを確実に防止できるようにする。
【００２０】
次いで、左右の上段受け材６ａ、６ｂを支柱４にボルト止めし、支柱４の上端部にビーム部材８をボルトで連結して支柱４の開きを防止するとともに、上段受け材６ａ、６ｂの第１、第２固定ステー１５、１６に長尺状部材Ｗを嵌め込んで位置決めする。
そして、その上に飛び跳ね防止用バー７をセットして両端部を支柱４のボルト止めし、固定用ブラケット１１により上段受け材６ａ、６ｂと飛び跳ね防止用バー７を連結し、図７に示すような状態にする。
そして外装ケースを取り付ければ、図８に示すような状態の荷姿になる。
【００２１】
以上のような梱包体において、発泡スチロール等の緩衝機能のある素材を使用しなくても第１、第２固定ステー１５、１６や、飛び跳ね防止用バー５、７や、固定用ブラケット１０、１１等により確実にワークを固定出来るようになり、また、上下に二段で長尺状部材Ｗを搭載できるため、効率良く梱包できる。
【００２２】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、長尺状部材Ｗの種類や、第１、第２固定ステー１５、１６の具体的形態等は例示である。
【００２３】
【発明の効果】
以上のように本発明に係る長尺状部材の梱包体は、スキッド上に位置決めされる下段受け枠に複数のワーク固定部を設け、このワーク固定部に位置決めした長尺状部材の上部に飛び跳ね防止用バーを設けるとともに、飛び跳ね防止用バーと下段受け枠との間には、嵌め込み式で両者を連結固定する固定用ブラケットを設けるようにしたため、長尺状部材が定位置に確実に固定され、動き回るような不具合を防止出来る。
また、下段受け枠の上部に上段受け材を設けて、下段のみならず上段にも長尺状部材を位置決め固定するようにすれば、梱包効率を高めることが出来る。
【図面の簡単な説明】
【図１】本発明に係る梱包体の分解斜視図
【図２】下段受け枠をスキッドに固定した状態の説明図
【図３】下段受け枠のワーク固定部に長尺状部材を搭載した状態の説明図
【図４】第２固定ステーに長尺状部材の一端側を嵌め込む際の拡大図で、（ａ）は嵌め込む前の状態図、（ｂ）は嵌め込んだ後の説明図
【図５】飛び跳ね防止用部材と固定用ブラケットにより長尺状部材の上部を規制した状態図
【図６】固定用ブラケットの説明図で、（ａ）は側面図、（ｂ）は正面図
【図７】上段受け材を取り付けて上段の長尺状部材を固定した状態の説明図
【図８】最終的な荷姿の説明図
【符号の説明】
１…梱包体、２…スキッド、３…下段受け枠、４…支柱、５…飛び跳ね防止用バー、６ａ、６ｂ…上段受け材、７…飛び跳ね防止用バー、８…ビーム部材、１０、１１…固定用ブラケット、１５…第１固定ステー、１６…第２固定ステー、１７…ワーク固定部。
【図１】
2004131121.tif 000003
【図２】
2004131121.tif 000004
【図３】
2004131121.tif 000005
【図４】
2004131121.tif 000006
【図５】
2004131121.tif 000007
【図６】
2004131121.tif 000008
【図７】
2004131121.tif 000009
【図８】
2004131121.tif 000010